(57)【要約】  本発明は、動画情報共有方法、装置、プログラム、及び記録媒体を開示する。当該方法は、サーバにより第１クライアントが送信した動画に対する記述情報を受信するステップと、前記第１クライアントと友達関係がある第２クライアントに前記記述情報を送信して、第２クライアントが、受信された前記記述情報に基づいて前記動画を再生するようにするステップとを含む。本発明によると、サーバは、一つの端末上の動画に対する記述情報をもう一つの端末に送信する。これにより、一つの端末から他の端末への動画情報の伝達が実現され、動画情報の伝達がサーバと端末との間に限定されなくなり、端末間においてタイムリーな動画再生の共有を実現できる。また、動画情報をより速いスピードで伝達することができ、動画リソースの利用率を大幅に高めることができる。【選択図】図１
2016535351.tif 000002
【特許請求の範囲】
【請求項１】
サーバにより第１クライアントが送信した動画に対する記述情報を受信するステップと、
前記第１クライアントと友達関係がある第２クライアントに前記記述情報を送信して、第２クライアントが、受信された前記記述情報に基づいて前記動画を再生するようにするステップと
を含むことを特徴とする動画情報共有方法。
【請求項２】
前記記述情報は、前記第１クライアントの前記動画の視聴の現在の進度、前記動画に対する前記第１クライアントの評価情報、前記動画の識別子、前記動画の再生アドレス、及び前記第１クライアントが前記動画を評価した際の前記動画の再生進度の中の少なくとも一つを含む
ことを特徴とする請求項１に記載の動画情報共有方法。
【請求項３】
前記第１クライアントと友達関係がある第２クライアントに前記記述情報を送信した後に、
前記動画に対する前記第２クライアントの評価情報を受信するステップと、
前記動画に対する前記第２クライアントの評価情報を前記第１クライアントに送信して、前記第１クライアントが前記評価情報を受信して表示するようにするステップと
を、さらに含むことを特徴とする請求項１に記載の動画情報共有方法。
【請求項４】
第２クライアントにより、サーバが送信した、前記第２クライアントと友達関係がある第１クライアントの動画に対する記述情報を受信するステップと、
前記記述情報を表示するステップと、
前記動画を再生させるためのトリガー操作が受信された場合、前記記述情報に基づいて前記動画を再生させるステップと
を含むことを特徴とする動画情報共有方法。
【請求項５】
前記記述情報は、前記第１クライアントの前記動画の視聴の現在の進度、前記動画に対する前記第１クライアントの評価情報、前記動画の識別子、前記動画の再生アドレス、及び、前記第１クライアントが前記動画を評価した際の前記動画の再生進度の中の少なくとも一つを含む
ことを特徴とする請求項４に記載の動画情報共有方法。
【請求項６】
前記記述情報に基づいて前記動画を再生させるステップは、
前記記述情報に前記動画の識別子又は/及び前記動画の再生アドレスが含まれている場合、前記識別子又は/及び前記再生アドレスに基づいて前記動画を取得して、前記動画を前記動画の開始時刻から再生させるステップ、
或は、
前記記述情報に、前記動画の識別子又は/及び前記動画の再生アドレスが含まれており、さらに、前記第１クライアントの前記動画の視聴の現在の進度が含まれている場合、前記識別子又は/及び前記再生アドレスに基づいて前記動画を取得して、前記動画を前記第１クライアントの前記動画の視聴の現在の進度に対応する位置から再生させるステップ、
或は、
前記記述情報に、前記動画の識別子又は/及び前記動画の再生アドレスが含まれており、さらに、前記第１クライアントが前記動画を評価した際の前記動画の再生進度が含まれている場合、前記識別子又は/及び前記再生アドレスに基づいて前記動画を取得して、前記第１クライアントが前記動画を評価した際の前記動画の再生進度に対応する位置から前記動画を再生させるステップ
を含むことを特徴とする請求項５に記載の動画情報共有方法。
【請求項７】
前記記述情報に基づいて前記動画を再生した後に、
前記動画に対する評価情報を受信するステップと、
前記評価情報を前記サーバに送信して、前記サーバが前記評価情報を前記第１クライアントに送信して表示させるようにするステップと
を、さらに含むことを特徴とする請求項４に記載の動画情報共有方法。
【請求項８】
第１クライアントが送信した動画に対する記述情報を受信するための記述情報第１受信ユニットと、
前記第１クライアントと友達関係がある第２クライアントに前記記述情報を送信して、受信された前記記述情報に基づいて第２クライアントが前記動画を再生するようにするための記述情報転送ユニットと
を備えることを特徴とする動画情報共有装置。
【請求項９】
前記記述情報は、前記第１クライアントの前記動画の視聴の現在の進度、前記動画に対する前記第１クライアントの評価情報、前記動画の識別子、前記動画の再生アドレス、及び、前記第１クライアントが前記動画を評価した際の前記動画の再生進度の中の少なくとも一つを含む
ことを特徴とする請求項８に記載の装置。
【請求項１０】
前記動画に対する前記第２クライアントの評価情報を受信するための第１評価情報受信ユニットと、
前記動画に対する前記第２クライアントの評価情報を前記第１クライアントに送信して、前記第１クライアントが前記評価情報を受信して表示するようにするための評価情報伝送ユニットと
を、さらに備えることを特徴とする請求項８に記載の装置。
【請求項１１】
サーバが送信した、第２クライアントと友達関係がある第１クライアントの動画に対する記述情報を受信するための第２記述情報受信ユニットと、
前記記述情報を表示するための記述情報表示ユニットと、
前記動画を再生させるためのトリガー操作が受信された場合、前記記述情報に基づいて前記動画を再生させるための動画再生ユニットと
を備えることを特徴とする動画情報共有装置。
【請求項１２】
前記記述情報は、前記第１クライアントの前記動画の視聴の現在の進度、前記動画に対する前記第１クライアントの評価情報、前記動画の識別子、前記動画の再生アドレス、及び、前記第１クライアントが前記動画を評価した際の前記動画の再生進度の中の少なくとも一つを含む
ことを特徴とする請求項１１に記載の装置。
【請求項１３】
前記動画再生ユニットは、前記記述情報に基づいて前記動画を再生させる際に、
前記記述情報に前記動画の識別子又は/及び前記動画の再生アドレスが含まれている場合、前記識別子又は/及び前記再生アドレスに基づいて前記動画を取得して、前記動画を前記動画の開始時刻から再生させるか、
或は、
前記記述情報に、前記動画の識別子又は/及び前記動画の再生アドレスが含まれており、さらに、前記第１クライアントの前記動画の視聴の現在の進度が含まれている場合、前記識別子又は/及び前記再生アドレスに基づいて前記動画を取得して、前記動画を前記第１クライアントの前記動画の視聴の現在の進度に対応する位置から再生させるか、
或は、
前記記述情報に、前記動画の識別子又は/及び前記動画の再生アドレスが含まれており、さらに、前記第１クライアントが前記動画を評価した際の前記動画の再生進度が含まれている場合、前記識別子又は/及び前記再生アドレスに基づいて前記動画を取得して、前記第１クライアントが前記動画を評価した際の前記動画の再生進度に対応する位置から前記動画を再生させる
ことを特徴とする請求項１２に記載の装置。
【請求項１４】
前記動画に対する評価情報を受信するための第２評価情報受信ユニットと、
前記評価情報を前記サーバに送信して、前記サーバが前記評価情報を前記第１クライアントに送信して表示するようにする評価情報送信ユニットと
を、さらに備えることを特徴とする請求項１１に記載の装置。
【請求項１５】
プロセッサと、
前記プロセッサが実行可能な命令を記憶するためのメモリと
を備え
前記プロセッサは、
第１クライアントが送信した動画に対する記述情報を受信し、
前記第１クライアントと友達関係がある第２クライアントに前記記述情報を送信して、第２クライアントは受信した前記記述情報に基づいて前記動画を再生させるようにするように構成される
ことを特徴とする動画情報共有装置。
【発明の詳細な説明】
【技術分野】
【０００１】
本発明は、ネットワーク動画の技術分野に関し、特に、動画情報共有方法、及び装置に関する。
【背景技術】
【０００２】
インターネット技術の発展に伴い、インターネットを介して動画を視聴するユーザがますます多くなっている。例えば、一ケースにおいて、ユーザは、インターネット動画のセットトップボックスを利用して、インターネット動画のセットトップボックスの一端をテレビに接続し、他の一端をインターネットを介して動画サービスを提供するプロバイダのサーバに接続して、インターネット動画のセットトップボックスを操作することにより、自分の好きな動画リソースを選択して視聴することができる。
【０００３】
本発明の発明者らは、本発明を実現する過程において、現在の動画情報の伝送スピードが遅いため、動画情報の共有を実現することが容易ではなく、サーバを中心に単一のクライアントに動画情報を送信するため、動画リソースの利用率が制限されることを発見した。
【発明の概要】
【０００４】
関連技術に存在する問題を解決するために、本発明は、動画情報の伝送スピードを高めて動画リソースの利用率を改善するための動画情報共有方法、及び装置を提供する。
【０００５】
本発明の実施例の第１の態様によると、動画情報共有方法を提供する。当該方法は、
【０００６】
サーバにより第１クライアントが送信した動画に対する記述情報を受信するステップと、
【０００７】
前記第１クライアントと友達関係がある第２クライアントに前記記述情報を送信して、第２クライアントが、受信された前記記述情報に基づいて前記動画を再生するようにするステップと
を含む。
【０００８】
好ましくは、前記記述情報は、前記第１クライアントの前記動画の視聴の現在の進度、前記動画に対する前記第１クライアントの評価情報、前記動画の識別子、前記動画の再生アドレス、及び、前記第１クライアントが前記動画を評価した際の前記動画の再生進度の中の少なくとも一つを含む。
【０００９】
好ましくは、前記第１クライアントと友達関係がある第２クライアントに前記記述情報を送信した後に、
【００１０】
前記動画に対する前記第２クライアントの評価情報を受信するステップと、
【００１１】
前記動画に対する前記第２クライアントの評価情報を前記第１クライアントに送信して、前記第１クライアントが前記評価情報を受信して表示するようにするステップとを、さらに含む。
【００１２】
本発明の実施例の第２の態様によると、動画情報共有方法を提供する。当該方法は、
【００１３】
サーバが送信した、前記第２クライアントと友達関係がある第１クライアントの動画に対する記述情報を第２クライアントが受信するステップと、
【００１４】
前記記述情報を表示するステップと、
【００１５】
前記動画を再生させるためのトリガー操作が受信された場合、前記記述情報に基づいて前記動画を再生させるステップと
を含む。
【００１６】
好ましくは、前記記述情報は、前記第１クライアントの前記動画の視聴の現在の進度、前記動画に対する前記第１クライアントの評価情報、前記動画の識別子、前記動画の再生アドレス、及び、前記第１クライアントが前記動画を評価した際の前記動画の再生進度の中の少なくとも一つを含む。
【００１７】
好ましくは、前記記述情報に基づいて前記動画を再生させるステップは、
【００１８】
前記記述情報に前記動画の識別子又は/及び前記動画の再生アドレスが含まれている場合、前記識別子又は/及び前記再生アドレスに基づいて前記動画を取得して、前記動画を前記動画の開始時刻から再生させるステップ、
或は、
【００１９】
前記記述情報に、前記動画の識別子又は/及び前記動画の再生アドレスが含まれており、さらに、前記第１クライアントの前記動画の視聴の現在の進度が含まれている場合、前記識別子又は/及び前記再生アドレスに基づいて前記動画を取得して、前記動画を前記第１クライアントの前記動画の視聴の現在の進度に対応する位置から再生させるステップ、
或は、
【００２０】
前記記述情報に、前記動画の識別子又は/及び前記動画の再生アドレスが含まれており、さらに、前記第１クライアントが前記動画を評価した際の前記動画の再生進度が含まれている場合、前記識別子又は/及び前記再生アドレスに基づいて前記動画を取得して、前記第１クライアントが前記動画を評価した際の前記動画の再生進度に対応する位置から前記動画を再生させるステップを含む。
【００２１】
好ましくは、前記記述情報に基づいて前記動画を再生した後に、
【００２２】
前記動画に対する評価情報を受信するステップと、
【００２３】
前記評価情報を前記サーバに送信して、前記サーバが前記評価情報を前記第１クライアントに送信して表示させるようにするステップと
を、さらに含む。
【００２４】
本発明の実施例の第３の態様によると、動画情報共有装置を提供する。当該装置は、
【００２５】
第１クライアントが送信した動画に対する記述情報を受信するための第１記述情報受信ユニットと、
【００２６】
前記第１クライアントと友達関係がある第２クライアントに前記記述情報を送信して、第２クライアントが、受信された前記記述情報に基づいて前記動画を再生するようにするための記述情報転送ユニットと
を備える。
【００２７】
好ましくは、前記記述情報は、前記第１クライアントの前記動画の視聴の現在の進度、前記動画に対する前記第１クライアントの評価情報、前記動画の識別子、前記動画の再生アドレス、及び、前記第１クライアントが前記動画を評価した際の前記動画の再生進度の中の少なくとも一つを含む。
【００２８】
好ましくは、前記装置は、
【００２９】
前記動画に対する前記第２クライアントの評価情報を受信するための第１評価情報受信ユニットと、
【００３０】
前記動画に対する前記第２クライアントの評価情報を前記第１クライアントに送信して、前記第１クライアントが前記評価情報を受信して表示するようにするための評価情報伝送ユニットと
を、さらに備える。
【００３１】
本発明の実施例の第４の態様によると、動画情報共有装置を提供する。当該装置は、
【００３２】
サーバが送信した、前記第２クライアントと友達関係がある第１クライアントの動画に対する記述情報を受信するための第２記述情報受信ユニットと、
【００３３】
前記記述情報を表示するための記述情報表示ユニットと、
【００３４】
前記動画を再生させるためのトリガー操作が受信された場合、前記記述情報に基づいて前記動画を再生させるための動画再生ユニットと
を備える。
【００３５】
好ましくは、前記記述情報は、前記第１クライアントの前記動画の視聴の現在の進度、前記動画に対する前記第１クライアントの評価情報、前記動画の識別子、前記動画の再生アドレス、及び、前記第１クライアントが前記動画を評価した際の前記動画の再生進度の中の少なくとも一つを含む。
【００３６】
好ましくは、前記動画再生ユニットは、前記記述情報に基づいて前記動画を再生させる際に、
【００３７】
前記記述情報に前記動画の識別子又は/及び前記動画の再生アドレスが含まれている場合、前記識別子又は/及び前記再生アドレスに基づいて前記動画を取得して、前記動画を前記動画の開始時刻から再生させるか、
或は、
【００３８】
前記記述情報に、前記動画の識別子又は/及び前記動画の再生アドレスが含まれており、さらに、前記第１クライアントの前記動画の視聴の現在の進度が含まれている場合、前記識別子又は/及び前記再生アドレスに基づいて前記動画を取得して、前記動画を前記第１クライアントの前記動画の視聴の現在の進度に対応する位置から再生させるか、
或は、
【００３９】
前記記述情報に、前記動画の識別子又は/及び前記動画の再生アドレスが含まれており、さらに、前記第１クライアントが前記動画を評価した際の前記動画の再生進度が含まれている場合、前記識別子又は/及び前記再生アドレスに基づいて前記動画を取得して、前記第１クライアントが前記動画を評価した際の前記動画の再生進度に対応する位置から前記動画を再生させる。
【００４０】
好ましくは、前記装置は、
【００４１】
前記動画に対する評価情報を受信するための第２評価情報受信ユニットと、
【００４２】
前記評価情報を前記サーバに送信して、前記サーバが前記評価情報を前記第１クライアントに送信して表示するようにする評価情報送信ユニットと
を、さらに備える。
【００４３】
本発明の実施例の第５の態様によると、動画情報共有装置を提供する。当該装置は、
【００４４】
プロセッサと、
【００４５】
前記プロセッサが実行可能な命令を記憶するためのメモリと
を備え、
【００４６】
前記プロセッサは、
【００４７】
第１クライアントが送信した動画に対する記述情報を受信し、
【００４８】
前記第１クライアントと友達関係がある第２クライアントに前記記述情報を送信して、第２クライアントが、受信した前記記述情報に基づいて前記動画を再生させるように構成される。
【００４９】
本発明の実施例が提供する技術手段は、以下の効果を含む。
【００５０】
本発明の実施例において、サーバは、一つの端末上の動画に対する記述情報をもう一つの端末に送信する。これにより、一つの端末から他の端末への動画情報の伝達が実現され、動画情報の伝達がサーバと端末との間に限定されなくなり、端末間においてタイムリーな動画再生の共有を実現できる。このように、端末間における動画情報の拡散および共有のメカニズムを形成した。これにより、動画情報をより速いスピードで伝達することができ、動画リソースの利用率を大幅に高めることができる。
【００５１】
以上の統括な記述と以下の詳細な記述は例示的なものに過ぎず、本発明を限定するものではないと理解するべきである。
【図面の簡単な説明】
【００５２】
ここでの図面は、明細書と共に本明細書の一部を構成して、本発明に合致する実施例を示すためのものであり、明細書と共に本発明の原理を説明する。
【００５３】
【図１】例示的な実施例に係る動画情報共有方法を示すフローチャートである。
【００５４】
【図２】例示的な実施例に係る動画情報共有方法を示すフローチャートである。
【００５５】
【図３】例示的な実施例に係る動画情報共有方法を示すフローチャートである。
【００５６】
【図４】例示的な実施例に係る動画情報共有方法を示すフローチャートである。
【００５７】
【図５】例示的な実施例に係る動画情報共有方法のシグナリングを示す模式図である。
【００５８】
【図６】第２クライアントが記述情報を受信した後のインタフェースを示す模式図である。
【００５９】
【図７】例示的な実施例に係る動画情報共有方法のシグナリングを示す模式図である。
【００６０】
【図８】例示的な実施例に係る動画情報共有装置を示すブロック図である。
【００６１】
【図９】例示的な実施例に係る動画情報共有装置を示すブロック図である。
【００６２】
【図１０】例示的な実施例に係る動画情報共有装置を示すブロック図である。
【００６３】
【図１１】例示的な実施例に係る動画情報共有装置を示すブロック図である。
【００６４】
【図１２】例示的な実施例に係る動画情報共有装置を示すブロック図である。
【００６５】
【図１３】例示的な実施例に係る動画情報共有装置を示すブロック図である。
【発明を実施するための形態】
【００６６】
ここで、例示的な実施例について詳細に記述し、その例示は図面に表示されている。以下の記述が図面に関する場合、特に説明がある他、異なる図面における同じ符号は同じ又は近似な要素を示す。以下の例示的な実施例で記載した実施形態は、本発明と一致するあらゆる実施形態を代表することではなく、逆に、ただ、クレームに詳細に記載した本発明のある方面と一致する装置と方法の例示である。
【００６７】
図１は、例示的な実施例に係るサーバに利用される動画情報共有方法を示すフローチャートである。図１に示したように、当該方法は、次のステップを備える。
【００６８】
ステップS１０１において、サーバにより、第１クライアントが送信した動画に対する記述情報を受信する。
【００６９】
一ケースにおいて、第１クライアントは、ＰＣ（パーソナルコンピューター）、スマートフォン、タブレットＰＣ等であってもよく、テレビとインターネット動画のセットトップボックスの組み合わせであってもよい。本発明においては、第１クライアントの具体的な形態に対して限定しない。
【００７０】
第１クライアントは、ある動画を視聴している際に、ある時点において、動画に対する記述情報を提供してサーバに送信してもよい。
【００７１】
ステップS１０２において、サーバが、第１クライアントと友達関係がある第２クライアントに前記記述情報を送信して、第２クライアントが、受信した前記記述情報に基づいて前記動画を再生させるようにする。
【００７２】
一ケースにおいて、当該第１クライアントとの友達関係は、第１ユーザが自分で設定した関連関係（例えば、第２クライアントは、第１クライアントが追加した「友達」である）であってもよく、サーバにより自発的に判断して得た関連関係（例えば、第２クライアントは、第１クライアントと同じＩＰ領域内のユーザである）であってもよい。ここで、サーバは、第１クライアントの友達リストを抽出して、第１クライアントの友達リストに基づいて第１クライアントと友達関係がある第２クライアントをマッチングして取得してもよく、本実施例はこれに対して限定しない。また、当該第２クライアントは一つであってもよく、一つ以上であってもよい。
【００７３】
なお、上述の友達関係は、サーバにより、前記記述情報を受信した後に確立してもよく、その前に第１クライアントと通信する過程で確立して、前記記述情報を受信した後に直接に利用しても良い。
【００７４】
本実施例、或は本発明の他の実施例において、前記記述情報は、前記第１クライアントの前記動画の視聴の現在の進度、前記動画に対する前記第１クライアントの評価情報、前記動画の識別子、前記動画の再生アドレス、及び、前記第１クライアントが前記動画を評価した際の前記動画の再生進度の中の少なくとも一つを含んでもよい。
【００７５】
図２に示したように、本実施例、或は本発明の他の実施例において、第１クライアントと友達関係がある第２クライアントに前記記述情報を送信した後に、この方法は、以下のステップを含んでもよい。
【００７６】
ステップS１０３において、サーバにより、第２クライアントの前記動画に対する評価情報を受信する。
【００７７】
ステップS１０４において、サーバにより、第２クライアントの前記動画に対する評価情報を第１クライアントに送信して、第１クライアントが前記評価情報を受信して表示するようにする。
【００７８】
第２クライアントは、動画に対する記述情報を受信してから、動画を評価してもよく、動画に対する第１クライアントの評価に対して回答してもよく、第１クライアントに応答してもよい。このようにして、第１クライアントとの情報交流を実現できる。
【００７９】
例えば、第１クライアントはセットトップボックスとテレビとの組み合わせであってもよく、第２クライアントはスマートフォンであってもよい。第１クライアントは、ネットワーク動画を視聴する時に、ある時点にリモコン、又はキーボードを用いて、視聴している動画に対する評価のような、視聴しているネットワーク動画に対する記述情報を提供してもよい。セットトップボックスは、当該記述情報をサーバへ送信する。すると、サーバは、当該記述情報を第２クライアントへ送信する。記述情報を受信すると、第２クライアントはそれに対して応答し、サーバはこの応答を第１クライアントへ送信してもよい。
【００８０】
また、第２クライアントは、サーバへ当該動画を再生することを要求してもよい。一ケースにおいて、第２クライアントは、自分のために当該動画を再生することをサーバに要求する際に、例えば、当該動画の開始時刻から再生するか、又は第１クライアントが記述情報を提供した際の進度に対応する位置から再生するか、第１クライアントが現在視聴している進度に対応する位置から再生するかのようなオップション等を、当該要求に追加してもよい。もう一ケースにおいて、サーバは、ある予め設定した規則に対応した進度から、第２クライアントのために前記動画を再生することを自発的に決定してもよい。しかし、本発明はこれに限定されることはない。
【００８１】
本実施例において、サーバは、一つの端末上の動画に対する記述情報をもう一つの端末に送信する。これにより、一つの端末から他の端末への動画情報の伝達が実現され、動画情報の伝達がサーバと端末との間に限定されなくなり、端末間においてタイムリーな動画再生の共有を実現できる。このように、端末間における動画情報の拡散および共有のメカニズムを形成した。これにより、動画情報をより速いスピードで伝達することができ、動画リソースの利用率を大幅に高めることができる。
【００８２】
図３は、例示的な実施例に係る第２クライアントに利用される動画情報共有方法を示すフローチャートである。図３に示したように、本実施例に係る方法は、以下のステップを含んでもよい。
【００８３】
ステップS３０１において、第２クライアントは、サーバが送信した、第２クライアントと友達関係がある第１クライアントの動画に対する記述情報を受信する。
【００８４】
本実施例、或は本発明の他の実施例において、前記記述情報は、前記第１クライアントの前記動画の視聴の現在の進度、前記動画に対する前記第１クライアントの評価情報、前記動画の識別子、前記動画の再生アドレス、及び、前記第１クライアントが前記動画を評価した際の前記動画の再生進度の中の少なくとも一つを含む。
【００８５】
ステップS３０２において、第２クライアントは、受信した記述情報を表示する。
【００８６】
ステップS３０３において、第２クライアントは、前記動画の再生をトリガーする操作が受信された場合、前記記述情報に基づいて前記動画を再生させる。
【００８７】
第２クライアントのユーザは、記述情報を受信すると、情報示唆オップションに従って前記動画の再生要求を開始する。
【００８８】
例えば、本実施例、或は本発明の他の実施例において、前記記述情報に基づいて前記動画を再生させるステップは、
【００８９】
前記記述情報に前記動画の識別子又は/及び前記動画の再生アドレスが含まれている場合、前記識別子又は/及び前記再生アドレスに基づいて前記動画を取得して、前記動画を前記動画の開始時刻から再生させるステップ、
或は、
【００９０】
前記記述情報に、前記動画の識別子又は/及び前記動画の再生アドレスが含まれており、さらに、前記第１クライアントの前記動画の視聴の現在の進度が含まれている場合、前記識別子又は/及び前記再生アドレスに基づいて前記動画を取得して、前記動画を前記第１クライアントの前記動画の視聴の現在の進度に対応する位置から再生させるステップ、
或は、
【００９１】
前記記述情報に、前記動画の識別子又は/及び前記動画の再生アドレスが含まれており、さらに、前記第１クライアントが前記動画を評価した際の前記動画の再生進度が含まれている場合、前記識別子又は/及び前記再生アドレスに基づいて前記動画を取得して、前記第１クライアントが前記動画を評価した際の前記動画の再生進度に対応する位置から前記動画を再生させるステップを含む。
【００９２】
また、図４に示したように、本実施例、或は本発明の他の実施例において、前記記述情報に基づいて前記動画を再生した後、前記方法は以下のステップを含んでいてもよい。
【００９３】
ステップS３０４において、第２クライアントは、前記動画に対する評価情報を受信する。
【００９４】
ステップS３０５において、第２クライアントは前記評価情報をサーバに送信し、サーバは前記評価情報を第１クライアントに送信し、第１クライアントに表示させる。
【００９５】
第２クライアントのユーザは、当該動画を視聴する際に評価を提供し、その後、サーバは、当該評価を第１クライアントへ送信して知らせることによって、二つのクライアントは当該動画を共有し、さらに交流も実現できる。
【００９６】
本実施例において、サーバは、一つの端末上の動画に対する記述情報をもう一つの端末に送信する。これにより、一つの端末から他の端末への動画情報の伝達が実現され、動画情報の伝達がサーバと端末との間に限定されなくなり、端末間においてタイムリーな動画再生の共有を実現できる。このように、端末間における動画情報の拡散および共有のメカニズムを形成した。これにより、動画情報をより速いスピードで伝達することができ、動画リソースの利用率を大幅に高めることができる。
【００９７】
図５は、例示的な実施例に係る動画情報共有方法のシグナリングを示す模式図である。
【００９８】
ステップS５０１において、第１クライアントは、当該動画に対する記述情報をサーバに送信する。第１クライアントは、ユーザが視聴する際に提供した記述内容、当該記述の時間及び動画アドレス等の内容を記述情報にパッケージングして、サーバに送信してもよい。表１は、記述情報の一つの事例である。
【表１】
2016535351.tif 000003
【００９９】
ステップS５０２において、サーバは、当該記述情報を第２クライアントへ送信する。
【０１００】
ステップS５０３において、第２クライアントは、前記動画に対する記述情報を受信してから、当該記述情報に基づいて前記動画を視聴することを要求する。
【０１０１】
例えば、図６は、第２クライアントが記述情報を受信した後のインタフェースを示す模式図でる。当該インタフェースにおいて、第２クライアントのユーザは、例えば、「初めから視聴する」、「評価時点から開始する」、「友達と同期に視聴する」（即ち、第１クライアントが現在視聴している進度に対応する位置から視聴する）のような視聴する方法を選択してもよい。そして、第２クライアントは、ユーザの選択に従ってサーバへ当該動画の再生要求を送信し、サーバは、第２クライアントへ当該動画の再生サービスを提供する。
【０１０２】
もう一ケースおいて、ステップS５０３の後で、図７に示したように、第２クライアントも当該動画を評価し、第１クライアントと当該評価情報を共有する。
【０１０３】
ステップS５０４において、第２クライアントは、応答である評価内容をサーバに送信する。
【０１０４】
ステップS５０５において、サーバは、当該評価内容を第１クライアントへ送信する。
【０１０５】
本実施例において、サーバは、一つの端末上の動画に対する記述情報をもう一つの端末に送信する。これにより、一つの端末から他の端末への動画情報の伝達が実現され、動画情報の伝達がサーバと端末との間に限定されなくなり、端末間においてタイムリーな動画再生の共有を実現できる。このように、端末間における動画情報の拡散および共有のメカニズムを形成した。これにより、動画情報をより速いスピードで伝達することができ、動画リソースの利用率を大幅に高めることができる。
【０１０６】
図８は、例示的な実施例に係るサーバに利用される動画情報共有装置を示すブロック図である。図８に示したように、当該装置は以下のユニットを備えてもよい。
【０１０７】
第１記述情報受信ユニット８０１は、第１クライアントが送信した動画に対する記述情報を受信する。
【０１０８】
記述情報転送ユニット８０２は、前記第１クライアントと友達関係がある第２クライアントに前記記述情報を送信して、第２クライアントは受信した前記記述情報に基づいて前記動画を再生させる。
【０１０９】
本実施例、或は本発明の他の実施例において、前記記述情報は、前記第１クライアントの前記動画の視聴の現在の進度、前記動画に対する前記第１クライアントの評価情報、前記動画の識別子、前記動画の再生アドレス、及び、前記第１クライアントが前記動画を評価した際の前記動画の再生進度の中の少なくとも一つを含んでもよい。
【０１１０】
図９に示したように、本実施例、或は本発明の他の実施例において、当該装置は、以下のユニットをさらに含んでもよい。
【０１１１】
第１評価情報受信ユニット８０３は、前記動画に対する前記第２クライアントの評価情報を受信する。
【０１１２】
評価情報伝送ユニット８０４は、前記動画に対する前記第２クライアントの評価情報を前記第１クライアントに送信して、前記第１クライアントが前記評価情報を受信して表示するようにする。
【０１１３】
上記の実施例の装置について、その各ユニットが実行する操作の具体的な形態は既に当該方法に関するの実施例において詳細に説明したため、ここでは詳細に説明しない。
【０１１４】
図１０は、例示的な実施例に係る第２クライアントに利用される動画情報共有装置を示すブロック図である。図１０に示したように、当該装置は、以下のユニットを含んでもよい。
【０１１５】
第２記述情報受信ユニット１００１は、サーバが送信した、前記第２クライアントと友達関係がある第１クライアントの動画に対する記述情報を受信する。
【０１１６】
記述情報表示ユニット１００２は、前記記述情報を表示する。
【０１１７】
動画再生ユニット１００３は、前記動画を再生させるためのトリガー操作が受信された場合、前記記述情報に基づいて前記動画を再生させる。
【０１１８】
本実施例、或は本発明の他の実施例において、前記記述情報は、前記第１クライアントの前記動画の視聴の現在の進度、前記動画に対する前記第１クライアントの評価情報、前記動画の識別子、前記動画の再生アドレス、及び、前記第１クライアントが前記動画を評価した際の前記動画の再生進度の中の少なくとも一つを含んでもよい。
【０１１９】
本実施例、或は本発明の他の実施例において、前記動画再生ユニットは、前記記述情報に基づいて前記動画を再生させる際に、
【０１２０】
前記記述情報に前記動画の識別子又は/及び前記動画の再生アドレスが含まれている場合、前記識別子又は/及び前記再生アドレスに基づいて前記動画を取得して、前記動画を前記動画の開始時刻から再生させるか、
或は、
【０１２１】
前記記述情報に、前記動画の識別子又は/及び前記動画の再生アドレスが含まれており、さらに、前記第１クライアントの前記動画の視聴の現在の進度が含まれている場合、前記識別子又は/及び前記再生アドレスに基づいて前記動画を取得して、前記動画を前記第１クライアントの前記動画の視聴の現在の進度に対応する位置から再生させるか、
或は、
【０１２２】
前記記述情報に、前記動画の識別子又は/及び前記動画の再生アドレスが含まれており、さらに、前記第１クライアントが前記動画を評価した際の前記動画の再生進度が含まれている場合、前記識別子又は/及び前記再生アドレスに基づいて前記動画を取得して、前記第１クライアントが前記動画を評価した際の前記動画の再生進度に対応する位置から前記動画を再生させる。
【０１２３】
図１１に示したように、本実施例、或は本発明の他の実施例において、前記装置は、さらに、
【０１２４】
前記動画に対する評価情報を受信するための第２評価情報受信ユニット１００４と、
【０１２５】
前記評価情報を前記サーバに送信して、前記サーバが前記評価情報を前記第１クライアントに表示するようにするための評価情報送信ユニット１００５とを備えてもよい。
【０１２６】
上記の実施例の装置について、その各ユニットが実行する操作の具体的な形態は既に当該方法に関するの実施例において詳細に説明したため、ここでは詳細に説明しない。
【０１２７】
本発明は、さらに、一種の動画情報共有装置を提供する。
動画情報共有装置は、
【０１２８】
プロセッサと、
【０１２９】
前記プロセッサが実行可能な命令を記憶するためのメモリと
備え、
【０１３０】
前記プロセッサは、
【０１３１】
第１クライアントが送信した動画に対する記述情報を受信し、
【０１３２】
記述情報転送ユニットは、前記第１クライアントと友達関係がある第２クライアントに前記記述情報を送信し、受信された前記記述情報に基づいて第２クライアントが前記動画を再生するようにするように構成される。
【０１３３】
本発明は、さらに、コンピュータ読取り可能な不発揮性の記憶媒体を提供しており、サーバのプロセッサにより上記命令を実行して、サーバに動画情報共有方法を実行させる。
前記方法は、
【０１３４】
第１クライアントが送信した動画に対する記述情報を受信し、
【０１３５】
前記第１クライアントと友達関係がある第２クライアントに前記記述情報を送信して、受信した前記記述情報に基づいて第２クライアントに前記動画を再生させる。
【０１３６】
図１２は、一例示的な実施例に係る動画情報共有装置１８００のブロック図である。例えば、装置１８００は、スマートテレビ、プロジェクター、液晶モニター、コンピュータ、等のような家庭用メディアプレーヤデバイスであってもよい。
【０１３７】
図１２を参照して、装置１８００は、プロセスアセンブリ１８０２、メモリ１８０４、電源アセンブリ１８０６、マルチメディアアセンブリ１８０８、オーディオアセンブリ１８１０、入出力（Ｉ／O）インターフェイス１８１２、センサアセンブリ１８１４、及び通信アセンブリ１８１６のような一つ以上のアセンブリを含んでよい。
【０１３８】
プロセスアセンブリ１８０２は、一般的には装置１８００の全体の操作を制御するものであり、例えば、表示、電話呼び出し、データ通信、カメラ操作、及び記録操作と関連する操作を制御する。プロセスアセンブリ１８０２は、一つ以上のプロセッサ１８２０を含み、これらによって命令を実行することにより、上記の方法の全部、或は一部のステップを実現するようにしてもよい。なお、プロセスアセンブリ１８０２は、一つ以上のモジュールを含み、これらによってプロセスアセンブリ１８０２と他のアセンブリの間のインタラクションを容易にするようにしてもよい。例えば、プロセスアセンブリ１８０２は、マルチメディアモジュールを含み、これらによってマルチメディアアセンブリ１８０８とプロセスアセンブリ１８０２の間のインタラクションを容易にするようにしてもよい。
【０１３９】
メモリ１８０４は、各種類のデータを記憶することにより装置１８００の操作を支援するように構成される。これらのデータの例は、装置１８００において操作されるいずれのアプリケーションプログラム又は方法の命令、連絡対象データ、電話帳データ、メッセージ、画像、ビデオ等を含む。メモリ１８０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０１４０】
電源アセンブリ１８０６は、装置１８００の多様なアセンブリに電力を供給する。電源アセンブリ１８０６は、電源管理システム、一つ以上の電源、及び装置１８００のための電力の生成、管理及び割り当てに関連する他のアセンブリを含んでもよい。
【０１４１】
マルチメディアアセンブリ１８０８は、前記装置１８００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ１８０８は、一つのフロントカメラ、及び／又はリアカメラを含む。装置１８００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１４２】
オーディオアセンブリ１８１０は、オーディオ信号を入出力するように構成されてもよい。例えば、オーディオアセンブリ１８１０は、一つのマイク（ＭＩＣ）を含み、装置１８００が、例えば呼出しモード、記録モード、及び音声認識モード等の操作モードにある場合、マイクは外部のオーディオ信号を受信することができる。受信されたオーディオ信号は、さらにメモリ１８０４に記憶されたり、通信アセンブリ１８１６を介して送信されたりされる。上記の実施例において、オーディオアセンブリ１８１０は、オーディオ信号を出力するための一つのスピーカーをさらに含む。
【０１４３】
Ｉ／Ｏインターフェイス１８１２は、プロセスアセンブリ１８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１４４】
センサアセンブリ１８１４は、装置１８００の様々な方面の状態に対する評価を提供するための一つ以上のセンサを含む。例えば、センサアセンブリ１８１４は、装置１８００のＯＮ／ＯＦＦ状態、装置１８００のディスプレイとキーパッドのようなアセンブリの相対的な位置決めを検出できる。また、例えば、センサアセンブリ１８１４は、装置１８００、或は装置１８００の一つのアセンブリの位置変更、ユーザと装置１８００とが接触しているか否か、装置１８００の方位、又は加速／減速、装置１８００の温度の変化を検出できる。センサアセンブリ１８１４は、何れの物理的接触がない状態にて付近の物体の存在を検出するための近接センサを含んでもよい。センサアセンブリ１８１４は、撮影アプリケーションに適用するため、ＣＭＯＳ、又はＣＣＤ撮像センサのような光センサを含んでもよい。上記の実施例において、当該センサアセンブリ１８１４は、加速度センサ、ジャイロスコープセンサ、磁気センサ、圧力センサ、及び温度センサをさらに含んでもよい。
【０１４５】
通信アセンブリ１８１６は、装置１８００と他の機器との間において有線、又は無線での通信を提供する。装置１８００は、例えばＷｉＦｉ、２Ｇ、３Ｇ、或はこれらの組み合わせのような、通信規格に基づいた無線ネットワークに接続されてもよい。一つの例示的な実施例において、通信アセンブリ１８１６は、放送チャンネルを介して外部の放送管理システムからの放送信号、又は放送に関連する情報を受信する。一つの例示的な実施例において、前記通信アセンブリ１８１６は、近距離無線通信（ＮＦＣ）モジュールをさらに含むことにより、近距離通信を推進するようにする。例えば、ＮＦＣモジュールは、ＲＦ識別子（Ｒａｄｉｏ Ｆｒｅｑｕｅｎｃｙ ｉｄｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉdｅ Ｂａｎｄ）技術、ＢＴ（Ｂｌｕｅｔｏｏｔｈ（登録商標））技術、他の技術に基づいて実現できる。
【０１４６】
例示的な実施例において、装置１８００は、一つ以上のＡＳＩＣ（Ａｐｐｌｉｃａｔｉｏｎ  Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１４７】
例示的な実施例において、さらに、命令を含むコンピュータ読取り可能な非一時的な記録媒体、例えば命令を含むメモリ１８０４を提供しており、装置１８００のプロセッサ１８２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピー（登録商標）ディスク、光データ記憶デバイス等である。
【０１４８】
図１３は、例示的な一実施例に係る動画情報共有装置を示すブロック図である。例えば、装置１９００をサーバとして提供してもよい。
【０１４９】
図１３を参照すると、装置１９００は、プロセスアセンブリ１９２２を備える。当該プロセスアセンブリ１９２２は、一つ以上のプロセッサ、及びメモリ１９３２を代表とするメモリリソースを、さらに備える。当該メモリリソースは、プロセスアセンブリ１９２２によって実行される、例えばアプリケーションプログラムのような命令を保存する。メモリ１９３２中に保存されたアプリケーションプログラムには、それぞれ一つの命令のセットに対応する一つ以上のモジュールを含んでいてもよい。なお、プロセスアセンブリ１９２２は、命令を実行することにより、上記の情報取得方法を実行する。
【０１５０】
装置１９００は、装置１９００の電源を管理するための一つの電源アセンブリ１９２６、装置１９００をネットワークに接続させるための一つの有線又は無線のネットワークインターフェイス１９５０、及び、一つのＩ／Ｏインターフェイス１９５８を備えてもよい。装置１９００は、メモリ１９３２に保存された、例えば、Ｗｉｎｄｏｗｓ（登録商標） Ｓｅｒｖｅｒ、Ｍａｃ ＯＳ ＸＴＭ、Ｕｎｉｘ（登録商標）, Ｌｉｎｕｘ（登録商標）、ＦｒｅｅＢＳＤＴＭのようなオペレーティング・システムによって、操作を行うことができる。
【０１５１】
当業者は、明細書を検討して本発明を実践した後、本発明の他の実施案を容易に考え出すことができる。本願は、本発明のいずれの変形、用途、又は適応的な変更をカバーすることを狙っているし、これらの変形、用途、又は適応的な変更は、本発明の一般的な原理に従い、また、本発明は公開していない当業界の公知の知識又は通常の技術手段を含む。明細書と実施例はただ例示として考慮され、本発明の本当の範囲と精神は以下の特許請求の範囲に記載される。
【０１５２】
本発明は上記に記述され、また図面で示した正確な構成に限定されず、その範囲を逸脱しない限り多様な置換えと変更を行うことができると、理解するべきである。本発明の範囲は添付の特許請求の範囲のみにより限定される。
【０１５３】
本願は、出願番号が２０１４１０３５６１５２.５であって、出願日が２０１４年７月２４日である中国特許出願に基づいて優先権を主張し、当該中国特許出願のすべての内容を援用する。
【図１】
2016535351.tif 000004
【図２】
2016535351.tif 000005
【図３】
2016535351.tif 000006
【図４】
2016535351.tif 000007
【図５】
2016535351.tif 000008
【図６】
2016535351.tif 000009
【図７】
2016535351.tif 000010
【図８】
2016535351.tif 000011
【図９】
2016535351.tif 000012
【図１０】
2016535351.tif 000013
【図１１】
2016535351.tif 000014
【図１２】
2016535351.tif 000015
【図１３】
2016535351.tif 000016
【手続補正書】
【提出日】平成27年1月16日(2015.1.16)
【手続補正１】
【補正対象書類名】明細書
【補正対象項目名】全文
【補正方法】変更
【補正の内容】
【発明の詳細な説明】
【技術分野】
【０００１】
本発明は、ネットワーク動画の技術分野に関し、特に、動画情報共有方法、装置、プログラム、及び記録媒体に関する。
【背景技術】
【０００２】
インターネット技術の発展に伴い、インターネットを介して動画を視聴するユーザがますます多くなっている。例えば、一ケースにおいて、ユーザは、インターネット動画のセットトップボックスを利用して、インターネット動画のセットトップボックスの一端をテレビに接続し、他の一端をインターネットを介して動画サービスを提供するプロバイダのサーバに接続して、インターネット動画のセットトップボックスを操作することにより、自分の好きな動画リソースを選択して視聴することができる。
【０００３】
本発明の発明者らは、本発明を実現する過程において、現在の動画情報の伝送スピードが遅いため、動画情報の共有を実現することが容易ではなく、サーバを中心に単一のクライアントに動画情報を送信するため、動画リソースの利用率が制限されることを発見した。
【発明の概要】
【０００４】
関連技術に存在する問題を解決するために、本発明は、動画情報の伝送スピードを高めて動画リソースの利用率を改善するための動画情報共有方法、装置、プログラム、及び記録媒体を提供する。
【０００５】
本発明の実施例の第１の態様によると、動画情報共有方法を提供する。当該方法は、
【０００６】
サーバにより第１クライアントが送信した動画に対する記述情報を受信するステップと、
【０００７】
前記第１クライアントと友達関係がある第２クライアントに前記記述情報を送信して、第２クライアントが、受信された前記記述情報に基づいて前記動画を再生するようにするステップと
を含む。
【０００８】
好ましくは、前記記述情報は、前記第１クライアントの前記動画の視聴の現在の進度、前記動画に対する前記第１クライアントの評価情報、前記動画の識別子、前記動画の再生アドレス、及び、前記第１クライアントが前記動画を評価した際の前記動画の再生進度の中の少なくとも一つを含む。
【０００９】
好ましくは、前記第１クライアントと友達関係がある第２クライアントに前記記述情報を送信した後に、
【００１０】
前記動画に対する前記第２クライアントの評価情報を受信するステップと、
【００１１】
前記動画に対する前記第２クライアントの評価情報を前記第１クライアントに送信して、前記第１クライアントが前記評価情報を受信して表示するようにするステップとを、さらに含む。
【００１２】
本発明の実施例の第２の態様によると、動画情報共有方法を提供する。当該方法は、
【００１３】
サーバが送信した、前記第２クライアントと友達関係がある第１クライアントの動画に対する記述情報を第２クライアントが受信するステップと、
【００１４】
前記記述情報を表示するステップと、
【００１５】
前記動画を再生させるためのトリガー操作が受信された場合、前記記述情報に基づいて前記動画を再生させるステップと
を含む。
【００１６】
好ましくは、前記記述情報は、前記第１クライアントの前記動画の視聴の現在の進度、前記動画に対する前記第１クライアントの評価情報、前記動画の識別子、前記動画の再生アドレス、及び、前記第１クライアントが前記動画を評価した際の前記動画の再生進度の中の少なくとも一つを含む。
【００１７】
好ましくは、前記記述情報に基づいて前記動画を再生させるステップは、
【００１８】
前記記述情報に前記動画の識別子又は/及び前記動画の再生アドレスが含まれている場合、前記識別子又は/及び前記再生アドレスに基づいて前記動画を取得して、前記動画を前記動画の開始時刻から再生させるステップ、
或は、
【００１９】
前記記述情報に、前記動画の識別子又は/及び前記動画の再生アドレスが含まれており、さらに、前記第１クライアントの前記動画の視聴の現在の進度が含まれている場合、前記識別子又は/及び前記再生アドレスに基づいて前記動画を取得して、前記動画を前記第１クライアントの前記動画の視聴の現在の進度に対応する位置から再生させるステップ、
或は、
【００２０】
前記記述情報に、前記動画の識別子又は/及び前記動画の再生アドレスが含まれており、さらに、前記第１クライアントが前記動画を評価した際の前記動画の再生進度が含まれている場合、前記識別子又は/及び前記再生アドレスに基づいて前記動画を取得して、前記第１クライアントが前記動画を評価した際の前記動画の再生進度に対応する位置から前記動画を再生させるステップを含む。
【００２１】
好ましくは、前記記述情報に基づいて前記動画を再生した後に、
【００２２】
前記動画に対する評価情報を受信するステップと、
【００２３】
前記評価情報を前記サーバに送信して、前記サーバが前記評価情報を前記第１クライアントに送信して表示させるようにするステップと
を、さらに含む。
【００２４】
本発明の実施例の第３の態様によると、動画情報共有装置を提供する。当該装置は、
【００２５】
第１クライアントが送信した動画に対する記述情報を受信するための第１記述情報受信ユニットと、
【００２６】
前記第１クライアントと友達関係がある第２クライアントに前記記述情報を送信して、第２クライアントが、受信された前記記述情報に基づいて前記動画を再生するようにするための記述情報転送ユニットと
を備える。
【００２７】
好ましくは、前記記述情報は、前記第１クライアントの前記動画の視聴の現在の進度、前記動画に対する前記第１クライアントの評価情報、前記動画の識別子、前記動画の再生アドレス、及び、前記第１クライアントが前記動画を評価した際の前記動画の再生進度の中の少なくとも一つを含む。
【００２８】
好ましくは、前記装置は、
【００２９】
前記動画に対する前記第２クライアントの評価情報を受信するための第１評価情報受信ユニットと、
【００３０】
前記動画に対する前記第２クライアントの評価情報を前記第１クライアントに送信して、前記第１クライアントが前記評価情報を受信して表示するようにするための評価情報伝送ユニットと
を、さらに備える。
【００３１】
本発明の実施例の第４の態様によると、動画情報共有装置を提供する。当該装置は、
【００３２】
サーバが送信した、前記第２クライアントと友達関係がある第１クライアントの動画に対する記述情報を受信するための第２記述情報受信ユニットと、
【００３３】
前記記述情報を表示するための記述情報表示ユニットと、
【００３４】
前記動画を再生させるためのトリガー操作が受信された場合、前記記述情報に基づいて前記動画を再生させるための動画再生ユニットと
を備える。
【００３５】
好ましくは、前記記述情報は、前記第１クライアントの前記動画の視聴の現在の進度、前記動画に対する前記第１クライアントの評価情報、前記動画の識別子、前記動画の再生アドレス、及び、前記第１クライアントが前記動画を評価した際の前記動画の再生進度の中の少なくとも一つを含む。
【００３６】
好ましくは、前記動画再生ユニットは、前記記述情報に基づいて前記動画を再生させる際に、
【００３７】
前記記述情報に前記動画の識別子又は/及び前記動画の再生アドレスが含まれている場合、前記識別子又は/及び前記再生アドレスに基づいて前記動画を取得して、前記動画を前記動画の開始時刻から再生させるか、
或は、
【００３８】
前記記述情報に、前記動画の識別子又は/及び前記動画の再生アドレスが含まれており、さらに、前記第１クライアントの前記動画の視聴の現在の進度が含まれている場合、前記識別子又は/及び前記再生アドレスに基づいて前記動画を取得して、前記動画を前記第１クライアントの前記動画の視聴の現在の進度に対応する位置から再生させるか、
或は、
【００３９】
前記記述情報に、前記動画の識別子又は/及び前記動画の再生アドレスが含まれており、さらに、前記第１クライアントが前記動画を評価した際の前記動画の再生進度が含まれている場合、前記識別子又は/及び前記再生アドレスに基づいて前記動画を取得して、前記第１クライアントが前記動画を評価した際の前記動画の再生進度に対応する位置から前記動画を再生させる。
【００４０】
好ましくは、前記装置は、
【００４１】
前記動画に対する評価情報を受信するための第２評価情報受信ユニットと、
【００４２】
前記評価情報を前記サーバに送信して、前記サーバが前記評価情報を前記第１クライアントに送信して表示するようにする評価情報送信ユニットと
を、さらに備える。
【００４３】
本発明の実施例の第５の態様によると、動画情報共有装置を提供する。当該装置は、
プロセッサと、
前記プロセッサが実行可能な命令を記憶するためのメモリと
を備え、
前記プロセッサは、
第１クライアントが送信した動画に対する記述情報を受信し、
前記第１クライアントと友達関係がある第２クライアントに前記記述情報を送信して、第２クライアントが、受信した前記記述情報に基づいて前記動画を再生させるように構成される。
【００４４】
本発明に係る実施例の第６の態様によると、プロセッサに実行されることにより、上記の動画情報共有方法を実現するプログラムを提供する。
【００４５】
本発明の実施例の第７の態様によると、上記プログラムが記録された記録媒体を提供する。
【００４６】
本発明の実施例が提供する技術手段は、以下の効果を含む。
【００４７】
本発明の実施例において、サーバは、一つの端末上の動画に対する記述情報をもう一つの端末に送信する。これにより、一つの端末から他の端末への動画情報の伝達が実現され、動画情報の伝達がサーバと端末との間に限定されなくなり、端末間においてタイムリーな動画再生の共有を実現できる。このように、端末間における動画情報の拡散および共有のメカニズムを形成した。これにより、動画情報をより速いスピードで伝達することができ、動画リソースの利用率を大幅に高めることができる。
【００４８】
以上の統括な記述と以下の詳細な記述は例示的なものに過ぎず、本発明を限定するものではないと理解するべきである。
【図面の簡単な説明】
【００４９】
ここでの図面は、明細書と共に本明細書の一部を構成して、本発明に合致する実施例を示すためのものであり、明細書と共に本発明の原理を説明する。
【図１】例示的な実施例に係る動画情報共有方法を示すフローチャートである。
【図２】例示的な実施例に係る動画情報共有方法を示すフローチャートである。
【図３】例示的な実施例に係る動画情報共有方法を示すフローチャートである。
【図４】例示的な実施例に係る動画情報共有方法を示すフローチャートである。
【図５】例示的な実施例に係る動画情報共有方法のシグナリングを示す模式図である。
【図６】第２クライアントが記述情報を受信した後のインタフェースを示す模式図である。
【図７】例示的な実施例に係る動画情報共有方法のシグナリングを示す模式図である。
【図８】例示的な実施例に係る動画情報共有装置を示すブロック図である。
【図９】例示的な実施例に係る動画情報共有装置を示すブロック図である。
【図１０】例示的な実施例に係る動画情報共有装置を示すブロック図である。
【図１１】例示的な実施例に係る動画情報共有装置を示すブロック図である。
【図１２】例示的な実施例に係る動画情報共有装置を示すブロック図である。
【図１３】例示的な実施例に係る動画情報共有装置を示すブロック図である。
【発明を実施するための形態】
【００５０】
ここで、例示的な実施例について詳細に記述し、その例示は図面に表示されている。以下の記述が図面に関する場合、特に説明がある他、異なる図面における同じ符号は同じ又は近似な要素を示す。以下の例示的な実施例で記載した実施形態は、本発明と一致するあらゆる実施形態を代表することではなく、逆に、ただ、クレームに詳細に記載した本発明のある方面と一致する装置と方法の例示である。
【００５１】
図１は、例示的な実施例に係るサーバに利用される動画情報共有方法を示すフローチャートである。図１に示したように、当該方法は、次のステップを備える。
【００５２】
ステップS１０１において、サーバにより、第１クライアントが送信した動画に対する記述情報を受信する。
【００５３】
一ケースにおいて、第１クライアントは、ＰＣ（パーソナルコンピューター）、スマートフォン、タブレットＰＣ等であってもよく、テレビとインターネット動画のセットトップボックスの組み合わせであってもよい。本発明においては、第１クライアントの具体的な形態に対して限定しない。
【００５４】
第１クライアントは、ある動画を視聴している際に、ある時点において、動画に対する記述情報を提供してサーバに送信してもよい。
【００５５】
ステップS１０２において、サーバが、第１クライアントと友達関係がある第２クライアントに前記記述情報を送信して、第２クライアントが、受信した前記記述情報に基づいて前記動画を再生させるようにする。
【００５６】
一ケースにおいて、当該第１クライアントとの友達関係は、第１ユーザが自分で設定した関連関係（例えば、第２クライアントは、第１クライアントが追加した「友達」である）であってもよく、サーバにより自発的に判断して得た関連関係（例えば、第２クライアントは、第１クライアントと同じＩＰ領域内のユーザである）であってもよい。ここで、サーバは、第１クライアントの友達リストを抽出して、第１クライアントの友達リストに基づいて第１クライアントと友達関係がある第２クライアントをマッチングして取得してもよく、本実施例はこれに対して限定しない。また、当該第２クライアントは一つであってもよく、一つ以上であってもよい。
【００５７】
なお、上述の友達関係は、サーバにより、前記記述情報を受信した後に確立してもよく、その前に第１クライアントと通信する過程で確立して、前記記述情報を受信した後に直接に利用しても良い。
【００５８】
本実施例、或は本発明の他の実施例において、前記記述情報は、前記第１クライアントの前記動画の視聴の現在の進度、前記動画に対する前記第１クライアントの評価情報、前記動画の識別子、前記動画の再生アドレス、及び、前記第１クライアントが前記動画を評価した際の前記動画の再生進度の中の少なくとも一つを含んでもよい。
【００５９】
図２に示したように、本実施例、或は本発明の他の実施例において、第１クライアントと友達関係がある第２クライアントに前記記述情報を送信した後に、この方法は、以下のステップを含んでもよい。
【００６０】
ステップS１０３において、サーバにより、第２クライアントの前記動画に対する評価情報を受信する。
【００６１】
ステップS１０４において、サーバにより、第２クライアントの前記動画に対する評価情報を第１クライアントに送信して、第１クライアントが前記評価情報を受信して表示するようにする。
【００６２】
第２クライアントは、動画に対する記述情報を受信してから、動画を評価してもよく、動画に対する第１クライアントの評価に対して回答してもよく、第１クライアントに応答してもよい。このようにして、第１クライアントとの情報交流を実現できる。
【００６３】
例えば、第１クライアントはセットトップボックスとテレビとの組み合わせであってもよく、第２クライアントはスマートフォンであってもよい。第１クライアントは、ネットワーク動画を視聴する時に、ある時点にリモコン、又はキーボードを用いて、視聴している動画に対する評価のような、視聴しているネットワーク動画に対する記述情報を提供してもよい。セットトップボックスは、当該記述情報をサーバへ送信する。すると、サーバは、当該記述情報を第２クライアントへ送信する。記述情報を受信すると、第２クライアントはそれに対して応答し、サーバはこの応答を第１クライアントへ送信してもよい。
【００６４】
また、第２クライアントは、サーバへ当該動画を再生することを要求してもよい。一ケースにおいて、第２クライアントは、自分のために当該動画を再生することをサーバに要求する際に、例えば、当該動画の開始時刻から再生するか、又は第１クライアントが記述情報を提供した際の進度に対応する位置から再生するか、第１クライアントが現在視聴している進度に対応する位置から再生するかのようなオップション等を、当該要求に追加してもよい。もう一ケースにおいて、サーバは、ある予め設定した規則に対応した進度から、第２クライアントのために前記動画を再生することを自発的に決定してもよい。しかし、本発明はこれに限定されることはない。
【００６５】
本実施例において、サーバは、一つの端末上の動画に対する記述情報をもう一つの端末に送信する。これにより、一つの端末から他の端末への動画情報の伝達が実現され、動画情報の伝達がサーバと端末との間に限定されなくなり、端末間においてタイムリーな動画再生の共有を実現できる。このように、端末間における動画情報の拡散および共有のメカニズムを形成した。これにより、動画情報をより速いスピードで伝達することができ、動画リソースの利用率を大幅に高めることができる。
【００６６】
図３は、例示的な実施例に係る第２クライアントに利用される動画情報共有方法を示すフローチャートである。図３に示したように、本実施例に係る方法は、以下のステップを含んでもよい。
【００６７】
ステップS３０１において、第２クライアントは、サーバが送信した、第２クライアントと友達関係がある第１クライアントの動画に対する記述情報を受信する。
【００６８】
本実施例、或は本発明の他の実施例において、前記記述情報は、前記第１クライアントの前記動画の視聴の現在の進度、前記動画に対する前記第１クライアントの評価情報、前記動画の識別子、前記動画の再生アドレス、及び、前記第１クライアントが前記動画を評価した際の前記動画の再生進度の中の少なくとも一つを含む。
【００６９】
ステップS３０２において、第２クライアントは、受信した記述情報を表示する。
【００７０】
ステップS３０３において、第２クライアントは、前記動画の再生をトリガーする操作が受信された場合、前記記述情報に基づいて前記動画を再生させる。
【００７１】
第２クライアントのユーザは、記述情報を受信すると、情報示唆オップションに従って前記動画の再生要求を開始する。
【００７２】
例えば、本実施例、或は本発明の他の実施例において、前記記述情報に基づいて前記動画を再生させるステップは、
【００７３】
前記記述情報に前記動画の識別子又は/及び前記動画の再生アドレスが含まれている場合、前記識別子又は/及び前記再生アドレスに基づいて前記動画を取得して、前記動画を前記動画の開始時刻から再生させるステップ、
或は、
【００７４】
前記記述情報に、前記動画の識別子又は/及び前記動画の再生アドレスが含まれており、さらに、前記第１クライアントの前記動画の視聴の現在の進度が含まれている場合、前記識別子又は/及び前記再生アドレスに基づいて前記動画を取得して、前記動画を前記第１クライアントの前記動画の視聴の現在の進度に対応する位置から再生させるステップ、
或は、
【００７５】
前記記述情報に、前記動画の識別子又は/及び前記動画の再生アドレスが含まれており、さらに、前記第１クライアントが前記動画を評価した際の前記動画の再生進度が含まれている場合、前記識別子又は/及び前記再生アドレスに基づいて前記動画を取得して、前記第１クライアントが前記動画を評価した際の前記動画の再生進度に対応する位置から前記動画を再生させるステップを含む。
【００７６】
また、図４に示したように、本実施例、或は本発明の他の実施例において、前記記述情報に基づいて前記動画を再生した後、前記方法は以下のステップを含んでいてもよい。
【００７７】
ステップS３０４において、第２クライアントは、前記動画に対する評価情報を受信する。
【００７８】
ステップS３０５において、第２クライアントは前記評価情報をサーバに送信し、サーバは前記評価情報を第１クライアントに送信し、第１クライアントに表示させる。
【００７９】
第２クライアントのユーザは、当該動画を視聴する際に評価を提供し、その後、サーバは、当該評価を第１クライアントへ送信して知らせることによって、二つのクライアントは当該動画を共有し、さらに交流も実現できる。
【００８０】
本実施例において、サーバは、一つの端末上の動画に対する記述情報をもう一つの端末に送信する。これにより、一つの端末から他の端末への動画情報の伝達が実現され、動画情報の伝達がサーバと端末との間に限定されなくなり、端末間においてタイムリーな動画再生の共有を実現できる。このように、端末間における動画情報の拡散および共有のメカニズムを形成した。これにより、動画情報をより速いスピードで伝達することができ、動画リソースの利用率を大幅に高めることができる。
【００８１】
図５は、例示的な実施例に係る動画情報共有方法のシグナリングを示す模式図である。
【００８２】
ステップS５０１において、第１クライアントは、当該動画に対する記述情報をサーバに送信する。第１クライアントは、ユーザが視聴する際に提供した記述内容、当該記述の時間及び動画アドレス等の内容を記述情報にパッケージングして、サーバに送信してもよい。表１は、記述情報の一つの事例である。
【表１】
2016535351.tif 000017
【００８３】
ステップS５０２において、サーバは、当該記述情報を第２クライアントへ送信する。
【００８４】
ステップS５０３において、第２クライアントは、前記動画に対する記述情報を受信してから、当該記述情報に基づいて前記動画を視聴することを要求する。
【００８５】
例えば、図６は、第２クライアントが記述情報を受信した後のインタフェースを示す模式図でる。当該インタフェースにおいて、第２クライアントのユーザは、例えば、「初めから視聴する」、「評価時点から開始する」、「友達と同期に視聴する」（即ち、第１クライアントが現在視聴している進度に対応する位置から視聴する）のような視聴する方法を選択してもよい。そして、第２クライアントは、ユーザの選択に従ってサーバへ当該動画の再生要求を送信し、サーバは、第２クライアントへ当該動画の再生サービスを提供する。
【００８６】
もう一ケースおいて、ステップS５０３の後で、図７に示したように、第２クライアントも当該動画を評価し、第１クライアントと当該評価情報を共有する。
【００８７】
ステップS５０４において、第２クライアントは、応答である評価内容をサーバに送信する。
【００８８】
ステップS５０５において、サーバは、当該評価内容を第１クライアントへ送信する。
【００８９】
本実施例において、サーバは、一つの端末上の動画に対する記述情報をもう一つの端末に送信する。これにより、一つの端末から他の端末への動画情報の伝達が実現され、動画情報の伝達がサーバと端末との間に限定されなくなり、端末間においてタイムリーな動画再生の共有を実現できる。このように、端末間における動画情報の拡散および共有のメカニズムを形成した。これにより、動画情報をより速いスピードで伝達することができ、動画リソースの利用率を大幅に高めることができる。
【００９０】
図８は、例示的な実施例に係るサーバに利用される動画情報共有装置を示すブロック図である。図８に示したように、当該装置は以下のユニットを備えてもよい。
【００９１】
第１記述情報受信ユニット８０１は、第１クライアントが送信した動画に対する記述情報を受信する。
【００９２】
記述情報転送ユニット８０２は、前記第１クライアントと友達関係がある第２クライアントに前記記述情報を送信して、第２クライアントは受信した前記記述情報に基づいて前記動画を再生させる。
【００９３】
本実施例、或は本発明の他の実施例において、前記記述情報は、前記第１クライアントの前記動画の視聴の現在の進度、前記動画に対する前記第１クライアントの評価情報、前記動画の識別子、前記動画の再生アドレス、及び、前記第１クライアントが前記動画を評価した際の前記動画の再生進度の中の少なくとも一つを含んでもよい。
【００９４】
図９に示したように、本実施例、或は本発明の他の実施例において、当該装置は、以下のユニットをさらに含んでもよい。
【００９５】
第１評価情報受信ユニット８０３は、前記動画に対する前記第２クライアントの評価情報を受信する。
【００９６】
評価情報伝送ユニット８０４は、前記動画に対する前記第２クライアントの評価情報を前記第１クライアントに送信して、前記第１クライアントが前記評価情報を受信して表示するようにする。
【００９７】
上記の実施例の装置について、その各ユニットが実行する操作の具体的な形態は既に当該方法に関するの実施例において詳細に説明したため、ここでは詳細に説明しない。
【００９８】
図１０は、例示的な実施例に係る第２クライアントに利用される動画情報共有装置を示すブロック図である。図１０に示したように、当該装置は、以下のユニットを含んでもよい。
【００９９】
第２記述情報受信ユニット１００１は、サーバが送信した、前記第２クライアントと友達関係がある第１クライアントの動画に対する記述情報を受信する。
【０１００】
記述情報表示ユニット１００２は、前記記述情報を表示する。
【０１０１】
動画再生ユニット１００３は、前記動画を再生させるためのトリガー操作が受信された場合、前記記述情報に基づいて前記動画を再生させる。
【０１０２】
本実施例、或は本発明の他の実施例において、前記記述情報は、前記第１クライアントの前記動画の視聴の現在の進度、前記動画に対する前記第１クライアントの評価情報、前記動画の識別子、前記動画の再生アドレス、及び、前記第１クライアントが前記動画を評価した際の前記動画の再生進度の中の少なくとも一つを含んでもよい。
【０１０３】
本実施例、或は本発明の他の実施例において、前記動画再生ユニットは、前記記述情報に基づいて前記動画を再生させる際に、
【０１０４】
前記記述情報に前記動画の識別子又は/及び前記動画の再生アドレスが含まれている場合、前記識別子又は/及び前記再生アドレスに基づいて前記動画を取得して、前記動画を前記動画の開始時刻から再生させるか、
或は、
【０１０５】
前記記述情報に、前記動画の識別子又は/及び前記動画の再生アドレスが含まれており、さらに、前記第１クライアントの前記動画の視聴の現在の進度が含まれている場合、前記識別子又は/及び前記再生アドレスに基づいて前記動画を取得して、前記動画を前記第１クライアントの前記動画の視聴の現在の進度に対応する位置から再生させるか、
或は、
【０１０６】
前記記述情報に、前記動画の識別子又は/及び前記動画の再生アドレスが含まれており、さらに、前記第１クライアントが前記動画を評価した際の前記動画の再生進度が含まれている場合、前記識別子又は/及び前記再生アドレスに基づいて前記動画を取得して、前記第１クライアントが前記動画を評価した際の前記動画の再生進度に対応する位置から前記動画を再生させる。
【０１０７】
図１１に示したように、本実施例、或は本発明の他の実施例において、前記装置は、さらに、
【０１０８】
前記動画に対する評価情報を受信するための第２評価情報受信ユニット１００４と、
【０１０９】
前記評価情報を前記サーバに送信して、前記サーバが前記評価情報を前記第１クライアントに表示するようにするための評価情報送信ユニット１００５とを備えてもよい。
【０１１０】
上記の実施例の装置について、その各ユニットが実行する操作の具体的な形態は既に当該方法に関するの実施例において詳細に説明したため、ここでは詳細に説明しない。
【０１１１】
本発明は、さらに、一種の動画情報共有装置を提供する。
動画情報共有装置は、
プロセッサと、
前記プロセッサが実行可能な命令を記憶するためのメモリと
備え、
前記プロセッサは、
第１クライアントが送信した動画に対する記述情報を受信し、
記述情報転送ユニットは、前記第１クライアントと友達関係がある第２クライアントに前記記述情報を送信し、受信された前記記述情報に基づいて第２クライアントが前記動画を再生するようにするように構成される。
【０１１２】
本発明は、さらに、コンピュータ読取り可能な不発揮性の記憶媒体を提供しており、サーバのプロセッサにより上記命令を実行して、サーバに動画情報共有方法を実行させる。
前記方法は、
【０１１３】
第１クライアントが送信した動画に対する記述情報を受信し、
【０１１４】
前記第１クライアントと友達関係がある第２クライアントに前記記述情報を送信して、受信した前記記述情報に基づいて第２クライアントに前記動画を再生させる。
【０１１５】
図１２は、一例示的な実施例に係る動画情報共有装置１８００のブロック図である。例えば、装置１８００は、スマートテレビ、プロジェクター、液晶モニター、コンピュータ、等のような家庭用メディアプレーヤデバイスであってもよい。
【０１１６】
図１２を参照して、装置１８００は、プロセスアセンブリ１８０２、メモリ１８０４、電源アセンブリ１８０６、マルチメディアアセンブリ１８０８、オーディオアセンブリ１８１０、入出力（Ｉ／O）インターフェイス１８１２、センサアセンブリ１８１４、及び通信アセンブリ１８１６のような一つ以上のアセンブリを含んでよい。
【０１１７】
プロセスアセンブリ１８０２は、一般的には装置１８００の全体の操作を制御するものであり、例えば、表示、電話呼び出し、データ通信、カメラ操作、及び記録操作と関連する操作を制御する。プロセスアセンブリ１８０２は、一つ以上のプロセッサ１８２０を含み、これらによって命令を実行することにより、上記の方法の全部、或は一部のステップを実現するようにしてもよい。なお、プロセスアセンブリ１８０２は、一つ以上のモジュールを含み、これらによってプロセスアセンブリ１８０２と他のアセンブリの間のインタラクションを容易にするようにしてもよい。例えば、プロセスアセンブリ１８０２は、マルチメディアモジュールを含み、これらによってマルチメディアアセンブリ１８０８とプロセスアセンブリ１８０２の間のインタラクションを容易にするようにしてもよい。
【０１１８】
メモリ１８０４は、各種類のデータを記憶することにより装置１８００の操作を支援するように構成される。これらのデータの例は、装置１８００において操作されるいずれのアプリケーションプログラム又は方法の命令、連絡対象データ、電話帳データ、メッセージ、画像、ビデオ等を含む。メモリ１８０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０１１９】
電源アセンブリ１８０６は、装置１８００の多様なアセンブリに電力を供給する。電源アセンブリ１８０６は、電源管理システム、一つ以上の電源、及び装置１８００のための電力の生成、管理及び割り当てに関連する他のアセンブリを含んでもよい。
【０１２０】
マルチメディアアセンブリ１８０８は、前記装置１８００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ１８０８は、一つのフロントカメラ、及び／又はリアカメラを含む。装置１８００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１２１】
オーディオアセンブリ１８１０は、オーディオ信号を入出力するように構成されてもよい。例えば、オーディオアセンブリ１８１０は、一つのマイク（ＭＩＣ）を含み、装置１８００が、例えば呼出しモード、記録モード、及び音声認識モード等の操作モードにある場合、マイクは外部のオーディオ信号を受信することができる。受信されたオーディオ信号は、さらにメモリ１８０４に記憶されたり、通信アセンブリ１８１６を介して送信されたりされる。上記の実施例において、オーディオアセンブリ１８１０は、オーディオ信号を出力するための一つのスピーカーをさらに含む。
【０１２２】
Ｉ／Ｏインターフェイス１８１２は、プロセスアセンブリ１８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１２３】
センサアセンブリ１８１４は、装置１８００の様々な方面の状態に対する評価を提供するための一つ以上のセンサを含む。例えば、センサアセンブリ１８１４は、装置１８００のＯＮ／ＯＦＦ状態、装置１８００のディスプレイとキーパッドのようなアセンブリの相対的な位置決めを検出できる。また、例えば、センサアセンブリ１８１４は、装置１８００、或は装置１８００の一つのアセンブリの位置変更、ユーザと装置１８００とが接触しているか否か、装置１８００の方位、又は加速／減速、装置１８００の温度の変化を検出できる。センサアセンブリ１８１４は、何れの物理的接触がない状態にて付近の物体の存在を検出するための近接センサを含んでもよい。センサアセンブリ１８１４は、撮影アプリケーションに適用するため、ＣＭＯＳ、又はＣＣＤ撮像センサのような光センサを含んでもよい。上記の実施例において、当該センサアセンブリ１８１４は、加速度センサ、ジャイロスコープセンサ、磁気センサ、圧力センサ、及び温度センサをさらに含んでもよい。
【０１２４】
通信アセンブリ１８１６は、装置１８００と他の機器との間において有線、又は無線での通信を提供する。装置１８００は、例えばＷｉＦｉ、２Ｇ、３Ｇ、或はこれらの組み合わせのような、通信規格に基づいた無線ネットワークに接続されてもよい。一つの例示的な実施例において、通信アセンブリ１８１６は、放送チャンネルを介して外部の放送管理システムからの放送信号、又は放送に関連する情報を受信する。一つの例示的な実施例において、前記通信アセンブリ１８１６は、近距離無線通信（ＮＦＣ）モジュールをさらに含むことにより、近距離通信を推進するようにする。例えば、ＮＦＣモジュールは、ＲＦ識別子（Ｒａｄｉｏ Ｆｒｅｑｕｅｎｃｙ ｉｄｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉdｅ Ｂａｎｄ）技術、ＢＴ（Ｂｌｕｅｔｏｏｔｈ（登録商標））技術、他の技術に基づいて実現できる。
【０１２５】
例示的な実施例において、装置１８００は、一つ以上のＡＳＩＣ（Ａｐｐｌｉｃａｔｉｏｎ  Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１２６】
例示的な実施例において、さらに、命令を含むコンピュータ読取り可能な非一時的な記録媒体、例えば命令を含むメモリ１８０４を提供しており、装置１８００のプロセッサ１８２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピー（登録商標）ディスク、光データ記憶デバイス等である。
【０１２７】
図１３は、例示的な一実施例に係る動画情報共有装置を示すブロック図である。例えば、装置１９００をサーバとして提供してもよい。
【０１２８】
図１３を参照すると、装置１９００は、プロセスアセンブリ１９２２を備える。当該プロセスアセンブリ１９２２は、一つ以上のプロセッサ、及びメモリ１９３２を代表とするメモリリソースを、さらに備える。当該メモリリソースは、プロセスアセンブリ１９２２によって実行される、例えばアプリケーションプログラムのような命令を保存する。メモリ１９３２中に保存されたアプリケーションプログラムには、それぞれ一つの命令のセットに対応する一つ以上のモジュールを含んでいてもよい。なお、プロセスアセンブリ１９２２は、命令を実行することにより、上記の情報取得方法を実行する。
【０１２９】
装置１９００は、装置１９００の電源を管理するための一つの電源アセンブリ１９２６、装置１９００をネットワークに接続させるための一つの有線又は無線のネットワークインターフェイス１９５０、及び、一つのＩ／Ｏインターフェイス１９５８を備えてもよい。装置１９００は、メモリ１９３２に保存された、例えば、Ｗｉｎｄｏｗｓ（登録商標） Ｓｅｒｖｅｒ、Ｍａｃ ＯＳ ＸＴＭ、Ｕｎｉｘ（登録商標）, Ｌｉｎｕｘ（登録商標）、ＦｒｅｅＢＳＤＴＭのようなオペレーティング・システムによって、操作を行うことができる。
【０１３０】
当業者は、明細書を検討して本発明を実践した後、本発明の他の実施案を容易に考え出すことができる。本願は、本発明のいずれの変形、用途、又は適応的な変更をカバーすることを狙っているし、これらの変形、用途、又は適応的な変更は、本発明の一般的な原理に従い、また、本発明は公開していない当業界の公知の知識又は通常の技術手段を含む。明細書と実施例はただ例示として考慮され、本発明の本当の範囲と精神は以下の特許請求の範囲に記載される。
【０１３１】
本発明は上記に記述され、また図面で示した正確な構成に限定されず、その範囲を逸脱しない限り多様な置換えと変更を行うことができると、理解するべきである。本発明の範囲は添付の特許請求の範囲のみにより限定される。
【０１３２】
本願は、出願番号が２０１４１０３５６１５２.５であって、出願日が２０１４年７月２４日である中国特許出願に基づいて優先権を主張し、当該中国特許出願のすべての内容を援用する。
【手続補正２】
【補正対象書類名】特許請求の範囲
【補正対象項目名】全文
【補正方法】変更
【補正の内容】
【特許請求の範囲】
【請求項１】
サーバにより第１クライアントが送信した動画に対する記述情報を受信するステップと、
前記第１クライアントと友達関係がある第２クライアントに前記記述情報を送信して、第２クライアントが、受信された前記記述情報に基づいて前記動画を再生するようにするステップと
を含むことを特徴とする動画情報共有方法。
【請求項２】
前記記述情報は、前記第１クライアントの前記動画の視聴の現在の進度、前記動画に対する前記第１クライアントの評価情報、前記動画の識別子、前記動画の再生アドレス、及び前記第１クライアントが前記動画を評価した際の前記動画の再生進度の中の少なくとも一つを含む
ことを特徴とする請求項１に記載の動画情報共有方法。
【請求項３】
前記第１クライアントと友達関係がある第２クライアントに前記記述情報を送信した後に、
前記動画に対する前記第２クライアントの評価情報を受信するステップと、
前記動画に対する前記第２クライアントの評価情報を前記第１クライアントに送信して、前記第１クライアントが前記評価情報を受信して表示するようにするステップと
を、さらに含むことを特徴とする請求項１に記載の動画情報共有方法。
【請求項４】
第２クライアントにより、サーバが送信した、前記第２クライアントと友達関係がある第１クライアントの動画に対する記述情報を受信するステップと、
前記記述情報を表示するステップと、
前記動画を再生させるためのトリガー操作が受信された場合、前記記述情報に基づいて前記動画を再生させるステップと
を含むことを特徴とする動画情報共有方法。
【請求項５】
前記記述情報は、前記第１クライアントの前記動画の視聴の現在の進度、前記動画に対する前記第１クライアントの評価情報、前記動画の識別子、前記動画の再生アドレス、及び、前記第１クライアントが前記動画を評価した際の前記動画の再生進度の中の少なくとも一つを含む
ことを特徴とする請求項４に記載の動画情報共有方法。
【請求項６】
前記記述情報に基づいて前記動画を再生させるステップは、
前記記述情報に前記動画の識別子又は/及び前記動画の再生アドレスが含まれている場合、前記識別子又は/及び前記再生アドレスに基づいて前記動画を取得して、前記動画を前記動画の開始時刻から再生させるステップ、
或は、
前記記述情報に、前記動画の識別子又は/及び前記動画の再生アドレスが含まれており、さらに、前記第１クライアントの前記動画の視聴の現在の進度が含まれている場合、前記識別子又は/及び前記再生アドレスに基づいて前記動画を取得して、前記動画を前記第１クライアントの前記動画の視聴の現在の進度に対応する位置から再生させるステップ、
或は、
前記記述情報に、前記動画の識別子又は/及び前記動画の再生アドレスが含まれており、さらに、前記第１クライアントが前記動画を評価した際の前記動画の再生進度が含まれている場合、前記識別子又は/及び前記再生アドレスに基づいて前記動画を取得して、前記第１クライアントが前記動画を評価した際の前記動画の再生進度に対応する位置から前記動画を再生させるステップ
を含むことを特徴とする請求項５に記載の動画情報共有方法。
【請求項７】
前記記述情報に基づいて前記動画を再生した後に、
前記動画に対する評価情報を受信するステップと、
前記評価情報を前記サーバに送信して、前記サーバが前記評価情報を前記第１クライアントに送信して表示させるようにするステップと
を、さらに含むことを特徴とする請求項４に記載の動画情報共有方法。
【請求項８】
第１クライアントが送信した動画に対する記述情報を受信するための記述情報第１受信ユニットと、
前記第１クライアントと友達関係がある第２クライアントに前記記述情報を送信して、受信された前記記述情報に基づいて第２クライアントが前記動画を再生するようにするための記述情報転送ユニットと
を備えることを特徴とする動画情報共有装置。
【請求項９】
前記記述情報は、前記第１クライアントの前記動画の視聴の現在の進度、前記動画に対する前記第１クライアントの評価情報、前記動画の識別子、前記動画の再生アドレス、及び、前記第１クライアントが前記動画を評価した際の前記動画の再生進度の中の少なくとも一つを含む
ことを特徴とする請求項８に記載の装置。
【請求項１０】
前記動画に対する前記第２クライアントの評価情報を受信するための第１評価情報受信ユニットと、
前記動画に対する前記第２クライアントの評価情報を前記第１クライアントに送信して、前記第１クライアントが前記評価情報を受信して表示するようにするための評価情報伝送ユニットと
を、さらに備えることを特徴とする請求項８に記載の装置。
【請求項１１】
サーバが送信した、第２クライアントと友達関係がある第１クライアントの動画に対する記述情報を受信するための第２記述情報受信ユニットと、
前記記述情報を表示するための記述情報表示ユニットと、
前記動画を再生させるためのトリガー操作が受信された場合、前記記述情報に基づいて前記動画を再生させるための動画再生ユニットと
を備えることを特徴とする動画情報共有装置。
【請求項１２】
前記記述情報は、前記第１クライアントの前記動画の視聴の現在の進度、前記動画に対する前記第１クライアントの評価情報、前記動画の識別子、前記動画の再生アドレス、及び、前記第１クライアントが前記動画を評価した際の前記動画の再生進度の中の少なくとも一つを含む
ことを特徴とする請求項１１に記載の装置。
【請求項１３】
前記動画再生ユニットは、前記記述情報に基づいて前記動画を再生させる際に、
前記記述情報に前記動画の識別子又は/及び前記動画の再生アドレスが含まれている場合、前記識別子又は/及び前記再生アドレスに基づいて前記動画を取得して、前記動画を前記動画の開始時刻から再生させるか、
或は、
前記記述情報に、前記動画の識別子又は/及び前記動画の再生アドレスが含まれており、さらに、前記第１クライアントの前記動画の視聴の現在の進度が含まれている場合、前記識別子又は/及び前記再生アドレスに基づいて前記動画を取得して、前記動画を前記第１クライアントの前記動画の視聴の現在の進度に対応する位置から再生させるか、
或は、
前記記述情報に、前記動画の識別子又は/及び前記動画の再生アドレスが含まれており、さらに、前記第１クライアントが前記動画を評価した際の前記動画の再生進度が含まれている場合、前記識別子又は/及び前記再生アドレスに基づいて前記動画を取得して、前記第１クライアントが前記動画を評価した際の前記動画の再生進度に対応する位置から前記動画を再生させる
ことを特徴とする請求項１２に記載の装置。
【請求項１４】
前記動画に対する評価情報を受信するための第２評価情報受信ユニットと、
前記評価情報を前記サーバに送信して、前記サーバが前記評価情報を前記第１クライアントに送信して表示するようにする評価情報送信ユニットと
を、さらに備えることを特徴とする請求項１１に記載の装置。
【請求項１５】
プロセッサと、
前記プロセッサが実行可能な命令を記憶するためのメモリと
を備え
前記プロセッサは、
第１クライアントが送信した動画に対する記述情報を受信し、
前記第１クライアントと友達関係がある第２クライアントに前記記述情報を送信して、第２クライアントは受信した前記記述情報に基づいて前記動画を再生させるようにするように構成される
ことを特徴とする動画情報共有装置。
【請求項１６】
プロセッサに実行されることにより、請求項１から請求項７のいずれかに記載の動画情報共有方法を実現することを特徴とするプログラム。
【請求項１７】
請求項１６に記載のプログラムが記録された記録媒体。
【国際調査報告】
2016535351.tif 000018
2016535351.tif 000019
2016535351.tif 000020
2016535351.tif 000021